(57)【特許請求の範囲】
【請求項１】
加熱調理器に設けられるバーナであって、バーナ本体に連なる混合管に付属する部品として、混合管の上流端の流入口に臨むガスノズルを先端に設けたノズル管と、混合管の流入口から離隔した位置でノズル管を支持する支持部と混合管に固定される固定部とを有するノズル管支持部材と、ノズル管をノズル管支持部材の支持部に押え付けて固定するノズル管押え部材と、混合管の流入口から流入する一次空気量を適量に制限する一次空気制限部材とを備えるものにおいて、
ノズル管押え部材に、混合管の流入口に向けてのびる延出板部を形成すると共に、この延出板部の先端に一次空気制限部材を形成することで、ノズル管押え部材と一次空気制限部材とを一体化することを特徴とする加熱調理器用バーナ。
【請求項２】
前記一次空気制限部材に、前記ノズル管を挿通して芯決めするガイド孔が形成されることを特徴とする請求項１記載の加熱調理器用バーナ。
【請求項３】
前記一次空気制限部材に、前記ガイド孔から下方にのびる切欠きが形成されることを特徴とする請求項２記載の加熱調理器用バーナ。
【請求項４】
前記一次空気制限部材は、前記混合管の流入口に所定の隙間を存して対向する板材で構成されることを特徴とする請求項１〜３の何れか１項記載の加熱調理器用バーナ。
【請求項５】
前記延出板部は前記ノズル管の上方に位置し、延出板部の幅はノズル管の直径よりも広く、延出板部の下方への投影空間にノズル管が収まることを特徴とする請求項１〜４の何れか１項記載の加熱調理器用バーナ。
【発明の詳細な説明】
【技術分野】
【０００１】
本発明は、ガスコンロ等の加熱調理器に設けられる加熱調理器用バーナに関する。
【背景技術】
【０００２】
従来、この種の加熱調理器用バーナにおいて、バーナ本体に連なる混合管に付属する部品として、混合管の上流端の流入口に臨むガスノズルを先端に設けたノズル管と、混合管の流入口から離隔した位置でノズル管を支持する支持部と混合管に固定される固定部とを有するノズル管支持部材と、ノズル管をノズル管支持部材の支持部に押え付けて固定するノズル管押え部材と、混合管の流入口から流入する一次空気量を適量に制限する一次空気制限部材とを備えるものが知られている(例えば、特許文献１参照)。尚、一次空気制限部材は、一般的に、混合管の流入口を覆う板材に一次空気用の通気孔を形成したもので構成される。
【０００３】
上記従来例のものでは、混合管に付属する部品として、ノズル管と、ノズル管支持部材と、ノズル管押え部材と、一次空気制限部材との４部品が必要になるが、最近は部品点数を削減してコストダウンを図ることが要請されており、混合管に付属する部品の点数も削減することが望まれる。
【先行技術文献】
【特許文献】
【０００４】
【特許文献１】特開平１０−１９２０９号公報
【発明の概要】
【発明が解決しようとする課題】
【０００５】
本発明は、以上の点に鑑み、混合管に付属する部品の点数を削減してコストダウンを図ることができるようにした加熱調理器用バーナを提供することをその課題としている。
【課題を解決するための手段】
【０００６】
上記課題を解決するために、本発明は、加熱調理器に設けられるバーナであって、バーナ本体に連なる混合管に付属する部品として、混合管の上流端の流入口に臨むガスノズルを先端に設けたノズル管と、混合管の流入口から離隔した位置でノズル管を支持する支持部と混合管に固定される固定部とを有するノズル管支持部材と、ノズル管をノズル管支持部材の支持部に押え付けて固定するノズル管押え部材と、混合管の流入口から流入する一次空気量を適量に制限する一次空気制限部材とを備えるものにおいて、ノズル管押え部材に、混合管の流入口に向けてのびる延出板部を形成すると共に、この延出板部の先端に一次空気制限部材を形成することで、ノズル管押え部材と一次空気制限部材とを一体化することを特徴とする。
【０００７】
本発明によれば、ノズル管押え部材と一次空気制限部材とを一体化することにより、混合管に付属する部品の点数を削減して、コストダウンを図ることができる。
【０００８】
また、本発明においては、一次空気制限部材に、ノズル管を挿通して芯決めするガイド孔が形成されることが望ましい。これによれば、混合管の流入口に近い位置で一次空気制限部材のガイド孔によりノズル管を芯決めして、流入口の中心に対するガスノズルの芯決め精度を高め、バーナの燃焼性能を向上させることができる。
【０００９】
尚、この場合、一次空気制限部材に、ガイド孔から下方にのびる切欠きを形成することが望ましい。これによれば、ガイド孔に煮こぼれが侵入しても、煮こぼれは切欠きを介して下方に流れてガイド孔に滞留し難くなり、煮こぼれの滞留によるノズル管の腐食等の耐久性の悪化を防止できる。
【００１０】
ところで、一次空気制限部材を、混合管の流入口を覆う板材に一次空気用の通気孔を形成したもので構成することも可能であるが、これでは、一次空気制限部材に落下付着する煮こぼれによって次第に通気孔が閉塞されて、バーナの燃焼不良を生じてしまうことがある。そのため、一次空気制限部材は、混合管の流入口に所定の隙間を存して対向する板材で構成されることが望ましい。これによれば、流入口と一次空気制限部材との間の隙間を介して一次空気が流入口に流入することになり、この隙間は煮こぼれで閉塞され難いため、燃焼性能が長期間良好に維持される。
【００１１】
また、本発明において、延出板部はノズル管の上方に位置し、延出板部の幅はノズル管の直径よりも広く、延出板部の下方への投影空間にノズル管が収まることが望ましい。これによれば、煮こぼれがノズル管に落下付着することを延出板部で阻止でき、ノズル管の耐久性が向上する。
【図面の簡単な説明】
【００１２】
【図１】本発明の実施形態の加熱調理器用バーナを示す斜視図。
【図２】図１のＩＩ−ＩＩ線で切断した断面図。
【図３】図２のＩＩＩ−ＩＩＩ線で切断した断面図。
【図４】実施形態のバーナの要部の分解状態の斜視図。
【発明を実施するための形態】
【００１３】
図１を参照して、１は、加熱調理器たるガスコンロに組み込まれるグリルの上火バーナとして用いられる本発明の実施形態の加熱調理器用バーナを示している。このバーナ１は、下向きに開口する偏平箱形のバーナ本体２と、バーナ本体２の下面に装着した多数の炎孔を有する燃焼板３と、バーナ本体２に連なる混合管４とを備え、混合管４を介してバーナ本体２内に供給される混合気(燃料ガスと一次空気の混合ガス)が燃焼板３の炎孔から噴出して燃焼する。尚、混合管４は、バーナ本体２の横方向一側部からＵターン状に湾曲して前方にのびている。
【００１４】
また、混合管４に付属する部品として、混合管４の上流端である前端の流入口４１に臨む図２に示すガスノズル５１を先端に設けたノズル管５と、混合管４の流入口４１から前方に離隔した位置でノズル管５を支持する支持部６１と混合管４に固定される固定部６２とを有するノズル管支持部材６と、ノズル管５を支持部６１に押え付けて固定するノズル管押え部材７と、ガスノズル５１からの燃料ガスの噴出に伴いエゼクタ効果で混合管４の流入口４１から流入する一次空気量を適量に制限する一次空気制限部材８とを備えている。
【００１５】
ノズル管支持部材６は、支持部６１の横方向両側部から後方にのびる腕部６３，６３を有しており、各腕部６３の先端部に、混合管４の横方向各側に張出すフランジ部４２の前端近傍部分を上下から挟むようにかしめ部を形成し、このかしめ部で固定部６２を構成している。
【００１６】
支持部６１には、ノズル管５の載置部の横方向一側と他側に位置する係合孔６１ａとネジ孔６１ｂとが形成されている。また、ノズル管押え部材７は、ノズル管５に重なる押え部７１を有しており、この押え部７１の横方向一側のフランジ部に爪片７１ａが突設され、横方向他側のフランジ部に取付孔７１ｂが形成されている。そして、爪片７１ａを係合孔６１に係合させた状態で取付孔７１ｂを通してネジ孔６１ｂに固定ネジ７２を螺入することにより、ノズル管押え部材７がノズル管５を押え付けた状態で支持部６１に固定されるようにしている。尚、支持部６１と押え部７１には、ノズル管５の外周に突設したビード５２に係合してノズル管５を前後方向に位置決めする孔６１ｃ，７１ｃが形成されている。
【００１７】
また、本実施形態では、ノズル管押え部材７に、押え部７１から混合管４の流入口４１に向けて後方にのびる延出板部７３を形成すると共に、この延出板部７３の先端に一次空気制限部材８を形成して、ノズル管押え部材７と一次空気制限部材８とを一体化している。これによれば、ノズル管押え部材７と一次空気制限部材８とを別体とするものに比し、混合管４に付属する部品の点数を削減して、コストダウンを図ることができる。
【００１８】
また、一次空気制限部材８には、図３に示す如く、ノズル管５を挿通するガイド孔８１が形成されている。尚、ガイド孔８１は、ノズル管５が僅かな隙間を存して挿通されるように形成され、ノズル管５を芯決めする機能を持つ。そのため、混合管４の流入口４１に近い位置でガイド孔８１によりノズル管５が芯決めされることになり、流入口４１の中心に対するガスノズル５１の芯決め精度を高めて、バーナ１の燃焼性能を向上させることができる。
【００１９】
ところで、ガスコンロでは、煮こぼれが天板に開設したバーナ用開口から天板の裏面を伝って一次空気制限部材８に落下することがある。そして、煮こぼれがガイド孔８１に侵入して滞留し、ノズル管５の腐食等の耐久性の悪化を生ずる可能性がある。そこで、本実施形態では、一次空気制限部材８に、ガイド孔８１から下方にのびる切欠き８２を形成している。これによれば、ガイド孔８１に煮こぼれが侵入しても、煮こぼれは切欠き８２を介して下方に流れてガイド孔８１に滞留し難くなり、煮こぼれの滞留によるノズル管５の耐久性の悪化を防止できる。
【００２０】
また、本実施形態の一次空気制限部材８は、混合管４の流入口４１に図２に示す如く所定の隙間８ａを存して対向する板材で構成されている。ここで、一次空気制限部材８は、混合管４の流入口４１を覆う板材に一次空気用の通気孔を形成したものとすることも可能である。然し、これでは、一次空気制限部材に落下付着する煮こぼれによって次第に通気孔が閉塞されて、バーナの燃焼不良を生じてしまうことがある。これに対し、本実施形態によれば、流入口４１と一次空気制限部材８との間の隙間８ａを介して一次空気が流入口４１に流入することになり、この隙間８ａは煮こぼれで閉塞され難いため、燃焼性能が長期間良好に維持される。
【００２１】
尚、本実施形態では、一次空気制限部材８の下端が流入口４１の下端より上方に位置している。そのため、切欠き８２及び一次空気制限部材８の下端より下方の部分を介しても流入口４１に一次空気が流入する。
【００２２】
ところで、ノズル管押え部材７の延出板部７３は、ノズル管５の横方向一側方に位置するように形成することも可能であるが、本実施形態では、延出板部７３をノズル管５の上方に位置するように形成している。そして、延出板部７３の幅をノズル管５の直径よりも広くし、延出板部７３の下方への投影空間にノズル管５が収まるようにしている。これによれば、煮こぼれがノズル管５に落下付着することを延出板部７３で阻止でき、ノズル管５の耐久性が向上する。また、グリルの上火バーナ１は天板に近い位置に配置されて、天板からの輻射熱がガスノズル５１近傍のノズル管５配置部に及ぶ恐れがある。然し、本実施形態では、天板からの輻射熱を延出板部７３で遮熱できるため、ガスノズル５１近傍のノズル管５配置部の温度が天板からの輻射熱の影響で変化することを抑制して、この温度変化によるガスノズル５１からの噴出ガス量の変動を抑制できる。
【００２３】
以上、本発明の実施形態について図面を参照して説明したが、本発明はこれに限定されない。例えば、一次空気制限部材８を流入口４１の下端に亘って対向するように形成すると共に、切欠き８２を省略し、一次空気が一次空気制限部材８と流入口４１との間の隙間のみから流入口４１に流入するように構成することも可能である。この場合、一次空気制限部材８の上下方向寸法及び横方向寸法を流入口４１の直径よりも大きくし、流入口４１に対し一次空気制限部材８が上下左右に多少位置ずれしても、一次空気制限部材８の後方への投影空間内に流入口４１が収まるようにすることが望ましい。また、一次空気制限部材８に、ガイド孔８１に代えて、ノズル管５が比較的大きな隙間を存して挿通されるノズル管５の芯決め機能を有しない孔を形成することも可能である。
【００２４】
また、上記実施形態の加熱調理器用バーナ１は、ガスコンロに組み込むグリルの上火バーナに用いるものであるが、グリルの下火バーナや天板のバーナ用開口に臨ませるコンロバーナにも同様に本発明を適用できる。
【符号の説明】
【００２５】
１…加熱調理器用バーナ、２…バーナ本体、４…混合管、４１…流入口、５…ノズル管、５１…ガスノズル、６…ノズル管支持部材、６１…支持部、６２…固定部、７…ノズル管押え部材、７３…延出板部、８…一次空気制限部材、８ａ…一次空気制限部材と流入口との間の隙間、８１…ガイド孔、８２…切欠き。
【図１】
0006049095.tif 000002
【図２】
0006049095.tif 000003
【図３】
0006049095.tif 000004
【図４】
0006049095.tif 000005